【手続補正書】
【提出日】平成18年1月17日(2006.1.17)
【手続補正１】
【補正対象書類名】明細書
【補正対象項目名】特許請求の範囲
【補正方法】変更
【補正の内容】
【特許請求の範囲】
【請求項１】  送信クロックに同期動作して送信データを送信信号に変換するエンコーダ回路を含む送信機と、
受信クロックに同期動作して受信信号を受信データへ変換するデコーダ回路を含む受信機と、
前記送信機および前記受信機への前記送信クロックおよび前記受信クロックの供給を制御するクロック供給選択回路とを備え、
前記クロック供給選択回路は、
内部クロック信号を生成するクロック生成回路と、
前記内部クロック信号を基準として、周波数誤差、位相変動、ジッタおよび波形変動の少なくとも１つが強制的に印加されるように変調された変調クロック信号を生成するクロック変調回路とを含み、
前記クロック供給選択回路は、通常動作時に、前記内部クロック信号を前記送信クロックおよび前記受信のクロックの各々として供給する一方で、ループバック動作時に、前記内部クロック信号および前記変調クロック信号を、前記送信クロックおよび前記受信クロックの一方ずつとして供給する、通信装置。
【請求項２】  前記クロック供給選択回路は、前記送信機に対応して設けられたクロックスイッチを含み、
前記クロックスイッチは、前記送信機に対しては、前記通常動作時には前記内部クロック信号を前記送信クロックとして供給する一方で、前記ループバック動作時には前記変調クロック信号を前記送信クロックとして供給し、
クロック供給選択回路は、前記受信機に対しては、前記通常動作時および前記ループバック動作時の各々において、前記内部クロック信号を前記受信クロックとして供給する、請求項１記載の通信装置。
【請求項３】  前記クロック供給選択回路は、前記受信機に対応して設けられたクロックスイッチを含み、
前記クロックスイッチは、前記受信機に対して、前記通常動作時には前記内部クロック信号を前記受信クロックとして供給する一方で、前記ループバック動作時には前記変調クロック信号を前記受信クロックとして供給し、
前記クロック供給選択回路は、前記送信機に対しては、前記通常動作時および前記ループバック動作時の各々において、前記内部クロック信号を前記送信クロックとして供給する、請求項１記載の通信装置。
【請求項４】  前記クロック生成回路は、前記内部クロック信号と同一周波数を有し、かつ位相が互いに異なる複数のクロック信号をさらに生成し、
前記クロック変調回路は、
外部トリガに同期してカウント値が変化するカウンタ回路と、
前記クロック生成回路から前記複数のクロック信号を受けるとともに、前記複数のクロック信号のうちの前記カウンタ値に応じた１つを前記変調クロック信号として選択的に出力するセレクタ回路とを含む、請求項１記載の通信装置。
【請求項５】  前記エンコーダ回路へ入力される前記送信データと、前記デコーダ回路から出力される受信データとを比較するとともに、比較結果に応じた信号を生成するデータ比較回路をさらに備える、請求項１記載の通信装置。
【請求項６】  前記データ比較回路は、
前記送信データを受けて、前記内部クロック信号と前記変調クロック信号とのタイミング差に応じた時間だけ内部で滞留した後に前記送信データを出力する緩衝回路と、
前記緩衝回路から出力された前記送信データと前記デコーダ回路からの前記受信データとを比較する比較器とを含む、請求項５記載の通信装置。
【請求項７】  クロック信号に同期動作して送信データを送信信号に変換するエンコーダ回路を含む送信機と、
前記クロック信号に同期動作して受信信号を受信データへ変換するデコーダ回路を含む受信機と、
前記クロック信号と同一周波数を有し、かつ位相が互いに異なる複数のクロック信号を生成するクロック生成回路と、
ループバック動作時に、前記受信信号の遷移エッジと前記複数のクロック信号の遷移エッジとの位相比較結果の遷移に基づいて、前記送信機で発生するジッタを測定するジッタ測定回路とを備える、通信装置。
【請求項８】  前記ジッタ測定回路は、
前記受信信号の前記遷移エッジの各々において、前記複数のクロックのそれぞれのレベルを検出するクロックサンプリング回路と、
前記受信信号の前記遷移エッジ間における、前記クロックサンプリング回路によって検出された前記複数のクロックのレベルの遷移を位相差に変換する位相比較回路とを含む、請求項７記載の通信装置。
【請求項９】  前記位相比較回路は、前記複数のクロックのレベルの遷移を変換して得られた前記位相差が所定のジッタ許容値を超えたかどうかを示す検出信号を生成する、請求項８記載の通信装置。
【請求項１０】  前記送信機は、シングルエンド信号である前記送信信号を差動信号に変換して出力する差動ドライバをさらに含み、
前記受信機は、入力された差動信号をシングルエンド信号である前記受信信号に変換する差動レシーバをさらに含み、
前記通信装置は、
前記ループバック動作時において、前記差動ドライバおよび前記差動レシーバを迂回して、前記前記エンコーダ回路から出力された前記送信信号を直接前記受信信号とする信号経路を必要に応じて形成する信号スイッチをさらに備える、請求項１または７記載の通信装置。
【請求項１１】  他の前記通信装置との間で信号の授受が可能な、通信ノードおよびテスト通信ノードと、
入力された送信データを送信信号に変換して前記通信ノードへ出力する送信機と、
受信ノードへ入力された受信信号を変換して受信データを出力する受信機と、
前記通信ノードおよび前記テスト通信ノードの一方と前記受信ノードとの間で信号経路を選択的に形成するための信号スイッチとを備え、
第１のテストモード時において、自身の前記通信ノードおよび前記テスト通信ノードと、前記他の通信装置の前記テスト通信ノードおよび前記通信ノードとの間にはそれぞれ信号経路が形成され、
各前記通信装置の前記信号スイッチは、前記第１のテストモード時において、自身の前記テスト通信ノードと前記受信ノードとの間に信号経路を形成する、通信装置。
【請求項１２】  前記第１のテストモードとは異なる第２のテストモード時および通常動作時の各々において、前記通信装置の前記信号スイッチは、自身の前記通信ノードと前記受信ノードとの間に信号経路を形成する、請求項１１記載の通信装置。
【請求項１３】  前記送信機および前記受信機は、送信クロックおよび受信クロックにそれぞれ同期して動作し、
前記通信装置は、
前記送信機および前記受信機への前記送信クロックおよび前記受信クロックの供給を制御するクロック供給選択回路をさらに備え、
前記クロック供給選択回路は、
内部クロック信号を生成するクロック生成回路と、
前記内部クロック信号を基準として、周波数誤差、位相変動、ジッタおよび波形変動の少なくとも１つが強制的に印加されるように変調された変調クロック信号を生成するクロック変調回路とを含み、
前記クロック供給選択回路は、前記通常動作時に、前記内部クロック信号を前記送信クロックおよび前記受信のクロックの各々として供給する一方で、前記第１のテストモード時に、前記内部クロック信号および前記変調クロック信号を、前記送信クロックおよび前記受信クロックの一方ずつとして供給する、請求項１１記載の通信装置。
【請求項１４】  前記送信機は、クロック信号に同期動作して前記送信データを前記送信信号に変換するエンコーダ回路を含み、
前記受信機は、前記クロック信号に同期動作して前記受信信号を前記受信データへ変換するデコーダ回路を含み、
前記通信装置は、
前記クロック信号と同一周波数を有し、かつ位相が互いに異なる複数のクロック信号を生成するクロック生成回路と、
前記第１のテストモード時に、前記受信信号の遷移エッジと前記複数のクロック信号の遷移エッジとの位相比較結果の遷移に基づいて、前記送信機で発生するジッタを測定するジッタ測定回路とをさらに備える、請求項１１記載の通信装置。